(57)【特許請求の範囲】
【請求項１】
衣類を乾かすための温風が注入される槽が内部に収納された外箱と、
前記外箱に設けられ、前記槽に上方から隙間を介して対向する天板カバーと、
前記槽に接続された入口および出口を有する通路状をなすものであって、前記槽および前記天板カバー相互間の隙間に収納されたリント除去部を有するダクトと、
前記槽内の空気を前記ダクトの入口から出口に向けて循環させる送風機と、
前記ダクト内に設けられたものであって、前記ダクトに沿って流れる空気を除湿する除湿器と、
前記ダクト内に前記除湿器に比べて空気の流れの下流側に位置して設けられたものであって、前記除湿器が除湿した空気を加熱することで前記温風を生成する加熱器と、
前記ダクトのリント除去部に設けられたものであって、前記ダクトに沿って流れる空気が通過可能であると共に上面が開口するケースと、
前記ケース内に着脱可能に収納されたものであって、前記ダクトに沿って流れる空気からリントを除去するためのフィルタを有するリント除去器と、
前記天板カバーに設けられたものであって、使用者が前記リント除去器を前記ケースの上面を通して前記ケース内に対して着脱するための着脱口と、
前記天板カバーに閉鎖状態および開放状態相互間で移動可能に設けられたものであって、閉鎖状態では前記着脱口を前記ケース内に対して前記リント除去器を着脱することが不能に閉鎖すると共に開放状態では着脱することが可能に開放する蓋と、
ロック状態およびロック解除状態相互間で変化可能なものであって、ロック状態では前記蓋が閉鎖状態から開放状態に向けて移動することを禁止するように前記蓋を閉鎖状態にロックすると共にロック解除状態では前記蓋が閉鎖状態から開放状態に向けて移動することを許容する蓋ロック機構と、
前記リント除去器および前記ケース相互間を密封するためのものであって、弾性変形可能なシール部材を備え、
前記蓋は、
前記蓋の閉鎖状態および前記蓋ロック機構のロック状態で前記リント除去器を前記ケースに対して相対的に押すものであり、
前記シール部材は、
前記蓋が前記リント除去器を前記ケースに対して相対的に押すことで前記リント除去器および前記ケース相互間に挟まれて弾性変形するものであって、前記リント除去器および前記ケースのそれぞれの間で弾性復元力により接触することを特徴とする衣類乾燥機。
【請求項２】
前記蓋ロック機構は、次の１）操作子と２）蓋側係合部と３）操作子側係合部を備えていることを特徴とする請求項１に記載の衣類乾燥機。
１）前記天板カバーにロック位置およびロック解除位置相互間で移動可能に設けられたものであって、使用者がロック位置からロック解除位置に操作することが可能な操作子
２）前記蓋に設けられた蓋側係合部
３）前記操作子に設けられたものであって、前記蓋の閉鎖状態および前記操作子のロック位置では前記蓋側係合部に係合することで前記蓋を閉鎖状態にロックすると共に前記蓋の閉鎖状態および前記操作子のロック位置で前記操作子がロック解除位置に操作された場合には前記蓋側係合部から外れることで前記蓋が閉鎖状態から開放状態に向けて移動することを許容する操作子側係合部
【請求項３】
退避位置および突出位置相互間で移動可能に設けられた押し部材と、
前記押し部材の退避位置で前記押し部材を退避位置から突出位置に向けて付勢するばね部材を備え、
前記押し部材は、
前記蓋の閉鎖状態および前記蓋ロック機構のロック状態では前記蓋に接触することで退避位置に静止するものであって、前記蓋の閉鎖状態および前記蓋ロック機構のロック状態で前記蓋ロック機構がロック解除状態に変化した場合には前記ばね部材のばね力で退避位置から突出位置に移動することで前記蓋を閉鎖状態から開放状態に向けて押すことを特徴とする請求項１・２のいずれかに記載の衣類乾燥機。
【請求項４】
前記リント除去器および前記蓋相互間を密封するためのものであって、弾性変形可能な蓋シール部材を備え、
前記蓋シール部材は、
前記蓋の閉鎖状態および前記蓋ロック機構のロック状態では前記蓋が前記リント除去器を前記ケースに対して相対的に押す力で前記蓋および前記リント除去器相互間に挟まれて弾性変形するものであって、前記蓋および前記リント除去器のそれぞれの間で弾性復元力により接触することを特徴とする請求項１・２・３のいずれかに記載の衣類乾燥機。
【請求項５】
前記リント除去器は、前記フィルタに加えて次の１）フィルタ枠と２）操作板と３）リント除去器シール部材を備えていることを特徴とする請求項１・２・３・４のいずれかに記載の衣類乾燥機。
１）前記フィルタを支持するフィルタ枠
２）使用者が前記リント除去器を前記ケース内に対して着脱する場合に手指を掛けるものであって、前記フィルタ枠に接合された操作板
３）前記フィルタ枠および前記操作板相互間の接合面を密封するリント除去器シール部材
【請求項６】
前記天板カバーは、
前記蓋の閉鎖状態および前記蓋ロック機構のロック状態で前記リント除去器が前記ケースに対して相対的に押された場合に前記リント除去器を下方から支持するものであることを特徴とする請求項１・２・３・４・５のいずれかに記載の衣類洗濯機。
【請求項７】
前記蓋に設けられたものであって、弾性変形可能なアームと、
前記天板カバーに設けられたものであって、前記アームを回動可能に支持すると共に傾斜面を有する軸を備え、
前記蓋は、
前記蓋の閉鎖状態で前記軸を中心に一方向へ回動した場合に前記天板カバーに接触することで開放状態に静止するものであり、
前記軸の傾斜面は、
前記蓋の開放状態で前記蓋に前記一方向への操作力が作用した場合に前記アームを前記軸から外れる方向へ弾性変形させるものであることを特徴とする請求項１・２・３・４・５・６のいずれかに記載の衣類乾燥機。
【発明の詳細な説明】
【技術分野】
【０００１】
実施例は洗濯乾燥機に関する。
【背景技術】
【０００２】
従来の洗濯乾燥機には外箱に天板カバーを設けた構成のものがある。この天板カバーは外箱内の槽に上方から隙間を介して対向するものであり、槽および天板カバー相互間の隙間にはダクトのリント除去部が収納されている。このダクトは槽に接続された入口および出口を有する通路状をなすものであり、ダクト内には送風機と除湿器と加熱器が設けられている。送風機は槽内の空気をダクトの入口から出口に向けて循環させるものであり、除湿器はダクトに沿って流れる空気を除湿し、加熱器は除湿器が除湿した空気を加熱することで温風化する。このダクトのリント除去部にはケースが設けられている。このケースは上面が開口するものであり、ケース内にはリント除去器が収納されている。このリント除去器はダクトに沿って流れる空気からリントを除去するためのフィルタを有するものであり、天板カバーにはリント除去器の上方に位置して着脱口が設けられている。この着脱口はリント除去器のフィルタが目詰りした場合に使用者がケースの上面を通してリント除去器を抜取るためのものであり、使用者はリント除去器のフィルタの目詰りを解消した場合に着脱口からケースの上面を通してケース内にリント除去器を戻すことができる。
【０００３】
従来の洗濯乾燥機の場合にはリント除去器に蓋が固定されている。この蓋はリント除去器がケース内に収納されたリント除去器の収納状態で着脱口を閉鎖するものであり、リント除去器は使用者が蓋に手指を掛けて蓋を操作することでケース内に対して着脱される。このリント除去器には爪片が設けられている。この爪片は使用者がリント除去器をケース内に対して着脱する場合にケースの壁面で押されて弾性変形するものであり、リント除去器の着脱操作は爪片が弾性変形することで許容される。この爪片はリント除去器の収納状態で自然状態に弾性復帰するものであり、リント除去器の収納状態では爪片が自然状態に弾性復帰することでケースの壁面に係合する。このリント除去器の表面およびケースの壁面相互間にはシール部材が介在されている。このシール部材は乾燥運転中にリント除去器の表面およびケースの壁面相互間から温風が漏れることを防止するものであり、リント除去器の爪片がケースの壁面に係合する係合力で弾性変形することでリント除去器の表面およびケースの壁面のそれぞれに目標圧力で接触する。
【先行技術文献】
【特許文献】
【０００４】
【特許文献１】特開２００８−０７９８５５号公報
【発明の概要】
【発明が解決しようとする課題】
【０００５】
従来の洗濯乾燥機の場合にはケースの内圧が乾燥運転中に上昇することでリント除去器の蓋が上方へ押されるので、リント除去器がケースの上面から着脱口を通って飛び出さないようにリント除去器をリント除去器の爪片およびケースの壁面相互間の係合力でケース内に固定している。このため、使用者がリント除去器をケース内に対して着脱する場合に爪片を弾性変形させるだけの大きな操作力が必要になる。この操作力は爪片の剛性を下げることで小さくできる。しかしながら、爪片の剛性を下げた場合には爪片のケースの壁面に対する係合力が小さくなることに応じてリント除去器の表面およびケースの壁面のそれぞれからシール部材に加わる力が弱まる。このため、リント除去器の表面およびケースの壁面のそれぞれに対するシール部材の接触圧が小さくなるので、乾燥運転中にリント除去器の表面およびケースの壁面相互間から温風が漏れる虞がある。
【課題を解決するための手段】
【０００６】
実施例の洗濯乾燥機は、衣類を乾かすための温風が注入される槽が内部に収納された外箱と、前記外箱に設けられ前記槽に上方から隙間を介して対向する天板カバーと、前記槽に接続された入口および出口を有する通路状をなすものであって前記槽および前記天板カバー相互間の隙間に収納されたリント除去部を有するダクトと、前記槽内の空気を前記ダクトの入口から出口に向けて循環させる送風機と、前記ダクト内に設けられたものであって前記ダクトに沿って流れる空気を除湿する除湿器と、前記ダクト内に前記除湿器に比べて空気の流れの下流側に位置して設けられたものであって前記除湿器が除湿した空気を加熱することで前記温風を生成する加熱器と、前記ダクトのリント除去部に設けられたものであって前記ダクトに沿って流れる空気が通過可能であると共に上面が開口するケースと、前記ケース内に着脱可能に収納されたものであって前記ダクトに沿って流れる空気からリントを除去するためのフィルタを有するリント除去器と、前記天板カバーに設けられたものであって使用者が前記リント除去器を前記ケースの上面を通して前記ケース内に対して着脱するための着脱口と、前記天板カバーに閉鎖状態および開放状態相互間で移動可能に設けられたものであって閉鎖状態では前記着脱口を前記ケース内に対して前記リント除去器を着脱することが不能に閉鎖すると共に開放状態では着脱することが可能に開放する蓋と、ロック状態およびロック解除状態相互間で変化可能なものであってロック状態では前記蓋が閉鎖状態から開放状態に向けて移動することを禁止するように前記蓋を閉鎖状態にロックすると共にロック解除状態では前記蓋が閉鎖状態から開放状態に向けて移動することを許容する蓋ロック機構と、前記リント除去器および前記ケース相互間を密封するためのものであって弾性変形可能なシール部材を備え、前記蓋は前記蓋の閉鎖状態および前記蓋ロック機構のロック状態で前記リント除去器を前記ケースに対して相対的に押すものであり、前記シール部材は前記蓋が前記リント除去器を前記ケースに対して相対的に押すことで前記リント除去器および前記ケース相互間に挟まれて弾性変形するものであって前記リント除去器および前記ケースのそれぞれの間で弾性復元力により接触するところに特徴を有する。
【図面の簡単な説明】
【０００７】
【図１】実施例１を示す図（洗濯乾燥機の外観を示す斜視図）
【図２】外箱の内部構成を示す斜視図
【図３】（ａ）は図１のＸ３線に沿う断面図、（ｂ）はＸｂ部を拡大して示す図
【図４】図３の（ａ）相当図（フィルタカバーを半開状態で示す図）
【図５】図３の（ａ）相当図（フィルタカバーを開放状態で示す図）
【図６】リント捕獲ダクトの前ケースを示す図
【図７】リント捕獲器の断面図
【図８】リント捕獲器の外観を示す斜視図（ａは前蓋を閉鎖状態で示す図、ｂは前蓋を開放状態で示す図）
【図９】天板カバーの外観を示す斜視図（ａはフィルタカバーを閉鎖状態で示す図、ｂはフィルタカバーを半開状態で示す図）
【図１０】天板カバーの外観を示す斜視図（ａはフィルタカバーを開放状態で示す図、ｂはフィルタカバーの開放状態でリント捕獲器が取り出された状態を示す図）
【図１１】（ａ）はフィルタカバーの外観を示す斜視図、（ｂ）はＸｂ部を拡大して示す図
【図１２】図１０のＸ１２線に沿う断面図
【図１３】（ａ）は外パッキンが遮断する温風の漏れ経路を示す図、（ｂ）は内パッキンが遮断する温風の漏れ経路を示す図
【発明を実施するための形態】
【０００８】
【実施例１】
【０００９】
図１の外箱１は前板２と後板３と左側板と右側板４と底板５を相互に接合することから構成されたものであり、上面が開口している。前板２は下から上に向けて後方へ傾斜する金属板から構成されたものであり、後板３と左側板と右側板４のそれぞれは垂直な金属板から構成され、底板５は水平な金属板から構成されている。この外箱１には前板カバー７および天板カバー８が固定されている。前板カバー７は外箱１の前板２に対して平行なものである。この前板カバー７は不透明な合成樹脂を材料に成形されたものであり、外箱１の前板２を前方から覆う化粧板として機能する。天板カバー８は外箱１の上面を上方から塞ぐ水平なものであり、不透明な合成樹脂を材料に成形されている。
【００１０】
外箱１の内部には、図２に示すように、槽に相当する水受槽９が固定されている。この水受槽９は円形状の槽後板および槽後板を取り囲む円筒状の槽周板を有するものであり、前面が開口している。この水受槽９は衣類を洗濯するための水を受けるものであり、軸心線が前から後に向けて下降する傾斜状態に配置されている。この水受槽９は外箱１の天板カバー８に下方から隙間を介して対向するものであり、水受槽９および天板カバー８相互間の隙間をダクト収納室と称する。
【００１１】
水受槽９の槽後板には、図２に示すように、水受槽９の外部に位置してドラムモータ１０が固定されており、ドラムモータ１０は水受槽９の内部に突出する回転軸を有している。このドラムモータ１０の回転軸には水受槽９の内部に位置してドラムが固定されており、ドラムはドラムモータ１０の運転状態でドラムモータ１０の回転軸と一体的に回転する。このドラムは円形状のドラム後板およびドラム後板を取り囲む円筒状のドラム周板を有するものであり、前面が開口している。このドラムは衣類が投入されるものであり、ドラムの軸心線は水受槽９の軸心線に重ねて配置されている。このドラムのドラム周板には複数の貫通孔が形成されており、ドラムの内部空間は複数の貫通孔のそれぞれを通して水受槽９の内部空間に接続されている。
【００１２】
外箱１の内部には給水弁が固定されている。この給水弁は入口および出口を有するものであり、給水弁の入口は水道の蛇口に接続されている。この給水弁は給水弁モータを駆動源とするものであり、給水弁の出口は給水弁モータが回転操作されることに応じて開放状態および閉鎖状態相互間で切換えられる。この給水弁の出口は水受槽９に接続されており、給水弁の開放状態では水道水が給水弁を通して水受槽９内に注入される。この水受槽９には排水管が接続されており、排水管には排水弁が介在されている。この排水弁は排水弁モータを駆動源とするものであり、排水弁モータが回転操作されることに応じて開放状態および閉鎖状態相互間で切換えられる。この排水弁の閉鎖状態では給水弁の出口から水受槽９内に注入された水道水が水受槽９内に貯留され、排水弁の開放状態では水受槽９内の水道水が排水管を通して水受槽９の外部に排出される。
【００１３】
外箱１の前板２には、図１に示すように、円形状の扉１１が装着されている。この扉１１は使用者が閉鎖状態および開放状態相互間で操作することが可能なものであり、扉１１の閉鎖状態では扉１１が外箱１の前板２に前方から接触し、扉１１の開放状態では扉１１が外箱１の前板２から前方へ離間する。この外箱１の前板２には円形状の貫通孔からなる出入口が形成されている。この出入口は使用者が水受槽９の前面およびドラムの前面のそれぞれを通してドラム内に対して衣類を出し入れするためのものであり、扉１１の開放状態でドラム内に対して衣類を出し入れすることが可能に開放され、扉１１の閉鎖状態でドラム内に対して衣類を出し入れすることが不能に気密状態に閉鎖される。この扉１１の閉鎖状態では扉１１が開口部１２内に挿入される。この開口部１２は前板カバー７に形成されたものであり、扉１１は開口部１２を通して閉鎖状態および開放状態相互間で操作される。
【００１４】
水受槽９の前端部には、図２に示すように、排気ダクト１３の入口が接続されている。この排気ダクト１３は蛇腹状をなすものであり、天板カバー８および水受槽９相互間のダクト収納室内に配置されている。この水受槽９の後端部には給気ダクト１４の出口が接続されている。この給気ダクト１４は水受槽９の槽後板に固定されたものであり、給気ダクト１４の入口には蛇腹状をなす中継ダクト１５の出口が接続されている。
【００１５】
外箱１の底板５には、図２に示すように、メインダクト１６が固定されている。このメインダクト１６は左右方向へ指向する筒状をなすものであり、メインダクト１６の右端部には上に向けて開口する筒状の入口が形成され、メインダクト１６の左端部には左に向けて開口する貫通孔状の出口が形成されている。このメインダクト１６の左端部にはファンケーシング１７が固定されている。このファンケーシング１７は貫通孔状の入口および筒状の出口を有するものであり、ファンケーシング１７の入口はメインダクト１６の出口に接続されている。このメインダクト１６の入口には中継ダクト１８の出口が接続されている。この中継ダクト１８は上下方向へ指向する筒状をなすものであり、中継ダクト１８の入口はダクト収納室内に配置されている。
【００１６】
ダクト収納室内には、図２に示すように、リント捕獲ダクト２０が収納されている。このリント捕獲ダクト２０は排気ダクト１３の出口および中継ダクト１８の入口相互間を接続するものであり、リント捕獲ダクト２０の詳細構成は次の通りである。
【００１７】
ダクト収納室内には、図２に示すように、合成樹脂製の上ケース２１が固定されている。この上ケース２１は下面が開口するものであり、前後方向へ指向している。この上ケース２１には上面が開口する合成樹脂製の下ケース２２が気密状態に接合されている。この下ケース２２の後端部には、図５に示すように、下方へ突出する筒状の出口２３が形成されており、出口２３には中継ダクト１８の入口が接続されている。これら下ケース２２および上ケース２１は前後方向へ指向するダクト本体２４を構成するものである。このダクト本体２４は前面が開口するものであり、上ケース２１にはダクト本体２４の前端部に位置して複数のリブ２５が形成されている。これら複数のリブ２５のそれぞれは隣接するリブ２５に空気およびリントのそれぞれが通過可能な隙間を介して離間するものであり、複数のリブ２５には、図６に示すように、網状の１枚のフィルタ２６が固定されている。このフィルタ２６はダクト本体２４の前面の全体を覆うものであり、フィルタ２６の網目は空気が通過可能でリントが通過不能な大きさに設定されている。尚、図５はリント捕獲ダクト２０をフィルタ２６の除去状態で示すものである。
【００１８】
上ケース２１の前端部には、図５に示すように、ケースに相当する前ケース２７が形成されている。この前ケース２７は上面および下面のそれぞれが開口する四角筒状をなすものであり、垂直な左側板と垂直な右側板と垂直な前板と垂直な後板を有している。この前ケース２７は、図６に示すように、上方から見て左側板〜後板がダクト本体２４のフィルタ２６を取り囲むように配置されたものであり、前ケース２７の下面はダクト本体２４のフィルタ２６を介してダクト本体２４の前面に接続されている。
【００１９】
前ケース２７の前板には、図５に示すように、入口２８が形成されている。この入口２８は前後方向へ指向する筒状をなすものであり、入口２８には排気ダクト１３の出口が接続されている。この前ケース２７には受け板２９が形成されている。この受け板２９は前ケース２７から外周側へ突出するものであり、図６に示すように、前ケース２７を取り囲む水平な四角環状をなしている。この受け板２９の外周部にはリブ３０が形成されている。このリブ３０は受け板２９を取り囲む四角筒状をなすものであり、図５に示すように、天板カバー８に下方から対向している。リント捕獲ダクト２０は以上のように構成されている。
【００２０】
ファンケーシング１７にはファンモータが固定されている。このファンモータはファンケーシング１７の外部に配置されたものであり、ファンケーシング１７の内部に突出する回転軸を有している。このファンモータの回転軸にはファンケーシング１７内に位置してファンが固定されており、ファンモータの運転状態ではファンが回転することで水受槽９内の空気が排気ダクト１３とリント捕獲ダクト２０と中継ダクト１８とメインダクト１６とファンケーシング１７と中継ダクト１５と給気ダクト１４のそれぞれを順に通って水受槽９内に戻る。即ち、排気ダクト１３〜給気ダクト１４は水受槽９内の空気を水受槽９の外部を通して水受槽９内に戻す空気の循環経路を構成するものである。この循環経路はダクトに相当するものであり、排気ダクト１３の入口はダクトの入口に相当し、給気ダクト１４の出口はダクトの出口に相当し、リント捕獲ダクト２０はダクトのリント除去部に相当し、ファンモータおよびファンは水受槽９内の空気をダクトの入口から出口に向けて循環させる送風機に相当する。
【００２１】
外箱１の底板５には循環経路の外部に位置してコンプレッサが固定されている。このコンプレッサはコンプモータを駆動源とするものであり、冷媒を吐出する吐出口および冷媒を吸込む吸込口を有している。このコンプレッサの吐出口および吸込口相互間にはコンデンサとエバポレータが接続されており、コンプモータの運転状態ではコンプレッサの吐出口から吐出された冷媒がコンデンサおよびエバポレータのそれぞれを順に通ってコンプレッサの吸込口に戻る。コンデンサはメインダクト１６内に固定されたものであり、エバポレータはメインダクト１６内にコンデンサに比べて右方に位置して固定されたものであり、ファンモータおよびコンプモータのそれぞれの運転状態では水受槽９内の空気がメインダクト１６内でエバポレータに接触することで冷風化され、冷風がメインダクト１６内でコンデンサに接触することで温風化される。即ち、ドラム内に水分を含んだ未乾燥の衣類が投入されている場合にはエバポレータが高温度で高湿度の空気を低温度で高湿度の空気に変換し、コンデンサが低温度で高湿度の空気を高温度で低湿度の空気に変換するので、水受槽９内に低湿度で高温度の空気が注入されることでドラム内の衣類の乾燥が促進される。このエバポレータは循環経路に沿って流れる空気を除湿する除湿器に相当し、コンデンサは除湿器が除湿した空気を加熱することで温風を生成する加熱器に相当する。
【００２２】
前板カバー７には、図１に示すように、操作パネル３２が固定されており、操作パネル３２にはスタートスイッチ３３が装着されている。このスタートスイッチ３３は使用者が操作することが可能なものであり、スタートスイッチ３３が操作された場合には標準コースが開始される。この標準コースは洗濯工程とすすぎ行程と脱水行程と乾燥工程を順に行うものである。洗濯工程は水受槽９内に水を貯留した状態でドラムを回転操作することでドラム内の衣類を水で洗う工程であり、水受槽９内の水に洗剤を投入した状態で行われる。すすぎ工程は水受槽９内に水を貯留した状態でドラムを回転操作することでドラム内の衣類を水ですすぐ工程であり、脱水工程はドラムを回転操作することでドラム内の衣類から水分を遠心力で排出する工程であり、乾燥工程はファンモータおよびコンプモータのそれぞれを運転状態とすることでドラム内の衣類を温風で乾かす工程である。
【００２３】
リント捕獲ダクト２０の前ケース２７内には、図３に示すように、リント除去器に相当するリント捕獲器３４が収納されている。このリント捕獲器３４は乾燥工程でリント捕獲ダクト２０の前ケース２７内を空気が通過するときに空気中からリントを除去するものであり、リント捕獲器３４の詳細構成は次の通りである。
【００２４】
リント捕獲ダクト２０の前ケース２７内には、図３に示すように、フィルタフレーム３５が着脱可能に挿入されている。このフィルタフレーム３５はフィルタ枠に相当するものであり、合成樹脂を射出成形することから構成されている。このフィルタフレーム３５は前面が開口するものであり、図８に示すように、後板３６と底板３７と天板３８（図７参照）と左側板３９と右側板４０を有している。これら左側板３９および右側板４０のそれぞれは垂直なものであり、底板３７は水平なものであり、後板３６は下から上に向けて後方へ傾斜し、天板３８は、図７に示すように、前から後に向けて下方へ傾斜している。このフィルタフレーム３５の後板３６および底板３７のそれぞれには、図８に示すように、金属製の網からなるフィルタ４１が固定されている。これら両フィルタ４１のそれぞれはフィルタフレーム３５にインサート成形されたものであり、両フィルタ４１のそれぞれの網目は空気が通過可能でリントが通過不能な大きさに設定されている。
【００２５】
フィルタフレーム３５には、図８に示すように、前蓋４２が装着されている。この前蓋４２は円形状の開口部４３を有するものであり、前蓋４２には開口部４３内に位置して複数のリブ４４が形成されている。これらリブ４４相互間には空気およびリントのそれぞれが通過可能な大きさの隙間が形成されており、ファンモータの運転状態では水受槽９内の空気がリント捕獲ダクト２０の入口２８から前蓋４２の開口部４３を通ってフィルタフレーム３５内に進入する。この空気はフィルタフレーム３５の後板３６のフィルタ４１または底板３７のフィルタ４１を通過してダクト本体２４内に進入するものであり、両フィルタ４１のそれぞれは空気が通過するときに空気中からリントを捕捉する。
【００２６】
前蓋４２は、図８に示すように、水平な軸４５を中心に閉鎖状態（図８のａ参照）および開放状態（図８のｂ参照）相互間で回動可能にされたものであり、使用者は前蓋４２を開放状態に回動操作することで清掃口４６を開放状態にすることができる。この清掃口４６はフィルタフレーム３５の前面を称するものであり、フィルタフレーム３５が前ケース２７内から取出された状態では使用者が清掃口４６の開放状態で清掃口４６からフィルタフレーム３５内に手指を挿入し、フィルタフレーム３５の両フィルタ４１のそれぞれをフィルタフレーム３５内から手指で清掃することが可能になる。この前蓋４２の複数のリブ４４は使用者が前蓋４２の閉鎖状態で手指を開口部４３からフィルタフレーム３５内に挿入することを不能にするものであり、清掃口４６は前蓋４２の閉鎖状態で使用者が手指を挿入することが不能な閉鎖状態になる。
【００２７】
フィルタフレーム３５には、図７に示すように、パネル支え４７が形成されている。このパネル支え４７はフィルタフレーム３５の天板３８から上方へ突出するものであり、上方から見て天板３８を取り囲む四角筒状をなしている。このパネル支え４７の上端部には合成樹脂製のフィルタパネル４８が着脱不能に接合されている。このフィルタパネル４８は水平な板状をなすものであり、上方から見て四角形状をなしている。このフィルタパネル４８は操作板に相当するものであり、フィルタパネル４８には手掛け孔４９が形成されている。この手掛け孔４９は使用者が上方から手指を挿入するためのものであり、フィルタパネル４８の下面には手掛け孔４９の前方に位置して手掛け領域５０が形成されている。この手掛け領域５０は下方へ突出する複数の突部を有する領域であり、使用者は手掛け孔４９内に挿入した手指をフィルタパネル４８の下方で曲げることで手掛け領域５０に滑り止め状態で掛けることができる。
【００２８】
フィルタパネル４８の外周部には、図７に示すように、外パッキン収納部５１が形成されている。この外パッキン収納部５１は上面が開口する凹状をなすものであり、内周壁と外周壁と底壁を有している。この外パッキン収納部５１は上方から見て無端な四角環状をなすものであり、外パッキン収納部５１内にはゴム製の外パッキン５２が挿入されている。この外パッキン５２は自然状態での断面形状が円形に設定されたものであり、上方から見て無端な四角環状をなしている。この外パッキン５２は蓋シール部材に相当する。
【００２９】
フィルタパネル４８には、図７に示すように、内パッキン収納部５３が形成されている。この内パッキン収納部５３は外パッキン収納部５１に比べて内周側に配置されたものであり、下面が開口する凹状をなしている。この内パッキン収納部５３は内周壁と外周壁と天壁を有するものであり、下方から見て無端な四角環状をなしている。この内パッキン収納部５３は幅寸法が外パッキン収納部５１に比べて大きく設定されたものであり、内パッキン収納部５３内にはゴム製の内パッキン５４が挿入されている。この内パッキン５４は自然状態での断面形状が外パッキン５２に比べて径大な円形に設定されたものであり、下方から見て無端な四角環状をなしている。
【００３０】
フィルタフレーム３５のパネル支え４７には、図７に示すように、パッキン押え５５が形成されている。このパッキン押え５５はパネル支え４７から上方へ突出する無端な四角筒状をなすものであり、パネル支え４７およびフィルタパネル４８相互間の接合力で内パッキン５４を下から上に向けて押している。この内パッキン５４はパッキン押え５５によって押されることで弾性変形するものであり、弾性復元力で内パッキン収納部５３の内周壁と外周壁と天壁とパッキン押え５５のそれぞれに目標圧力で接触している。この内パッキン５４はリント除去器シール部材に相当する。
【００３１】
フィルタフレーム３５のパネル支え４７には、図７に示すように、内パッキン受け５６が形成されている。この内パッキン受け５６はパネル支え４７から外周側へ突出するものであり、パネル支え４７を取り囲む水平な四角環状をなしている。フィルタパネル４８には水平な四角環状の外パッキン受け５７が形成されている。この外パッキン受け５７は内パッキン受け５６の外周面に隙間を介して対向するものであり、内パッキン受け５６および外パッキン受け５７相互間の隙間には下パッキン５８の筒状の突部５９が嵌め込まれている。この下パッキン５８はゴムを材料とするものであり、下パッキン５８の突部５９は内パッキン受け５６および外パッキン受け５７相互間で挟まれて弾性変形し、内パッキン受け５６および外パッキン受け５７のそれぞれに弾性復元力で接触している。
【００３２】
下パッキン５８は、図７に示すように、突部５９が弾性復元力で内パッキン受け５６および外パッキン受け５７のそれぞれに接触することでフィルタフレーム３５およびフィルタパネル４８の双方に固定されたものであり、ベース部６０およびシール部６１を有している。ベース部６０は水平な四角環状をなすものであり、パネル支え４７の内パッキン受け５６およびフィルタパネル４８の外パッキン受け５７のそれぞれに下方から面接触している。シール部６１はベース部６０の外周部に配置されたものである。このシール部６１はベース部６０から下方へ突出するものであり、上から下に向けて縮径する無端な四角筒状をなしている。
【００３３】
フィルタパネル４８には、図８に示すように、左前隅部と右前隅部と後左隅部と後右隅部のそれぞれに位置して支持片６２が形成されている。これら４つの支持片６２のそれぞれは水平な板状をなすものであり、左前隅部の支持片６２および右前隅部の支持片６２のそれぞれはフィルタパネル４８から前方へ突出し、左後隅部の支持片６２および右後隅部の支持片６２のそれぞれはフィルタパネル４８から後方へ突出している。これら４つの支持片６２のそれぞれは、図３に示すように、下方から水平な受け面６３によって面接触状態で支持されている。これら受け面６３のそれぞれは前ケース２７の受け板２９に形成されたものであり、フィルタフレーム３５はフィルタパネル４８の４つの支持片６２のそれぞれが前ケース２７の受け面６３によって支持されることで前ケース２７内の上下方向と左右方向と前後方向のそれぞれの目標位置に静止し、フィルタフレーム３５の両フィルタ４１のそれぞれはフィルタフレーム３５が前ケース２７内の上下方向〜前後方向のそれぞれの目標位置に静止することでリント捕獲ダクト２０のフィルタ２７に隙間を介して対向する。尚、図３はリント捕獲ダクト２０をフィルタ２７の除去状態で示すものである。
【００３４】
フィルタフレーム３５が前ケース２７内の上下方向〜前後方向のそれぞれの目標位置に静止した状態をリント捕獲器３４の収納状態と称する。このリント捕獲器３４の下パッキン５８のシール部６１はリント捕獲器３４の重さでは弾性変形しないものであり、リント捕獲器３４に外力が作用していない状態ではリント捕獲ダクト２０の受け板２９に自然状態で接触する。このリント捕獲器３４は外力が作用していない状態ではシール部６１の形状の安定力で収納状態に比べて上方の挿入状態に静止するものであり、リント捕獲器３４に上から下に向けて予め決められた大きさの外力が作用した状態ではシール部６１がリント捕獲器３４の内パッキン受け５６およびリント捕獲ダクト２０の受け板２９相互間で挟まれて弾性変形すると共にリント捕獲器３４の外パッキン受け５７およびリント捕獲ダクト２０の受け板２９相互間で挟まれて弾性変形し、リント捕獲器３４が挿入状態から収納状態に下降する。
【００３５】
フィルタフレーム３５のパネル支え４７には、図４に示すように、ロック部材６４がネジで固定されている。このロック部材６４は合成樹脂製の爪片６５を有するものであり、爪片６５は自然状態でロック部材６４の後面から後方へ突出し、後から前に向けて外力が作用することでロック部材６４の後面に対して前方へ退避した退避状態に弾性変形する。リント捕獲器３４は以上のように構成されている。
【００３６】
天板カバー８には、図１０に示すように、貫通孔からなる着脱口６６が形成されている。この着脱口６６は使用者がフィルタパネル４８の手掛け孔４９内に手指を挿入してリント捕獲器３４をリント捕獲ダクト２０の前ケース２７内に対して着脱するためのものであり、前ケース２７の上面に上方から対向している。この着脱口６６はリント捕獲器３４のフィルタパネル４８およびフィルタフレーム３５のそれぞれが上下方向に通過可能なものであり、使用者が上方から天板カバー８の着脱口６６および前ケース２７の上面のそれぞれを順に通して前ケース２７内にリント捕獲器３４を挿入した場合には前ケース２７の内面がロック部材６４の爪片６５を前から後に向けて押すことで爪片６５が退避状態に弾性変形し、爪片６５が退避状態に弾性変形することでリント捕獲器３４の挿入操作が許容される。
【００３７】
リント捕獲ダクト２０の前ケース２７には、図４に示すように、後板に位置して係合部６７が形成されている。この係合部６７は前ケース２７の後板のうち係合部６７を除く残りの部分に比べて後方へ突出するものであり、使用者が上方から着脱口６６を通して前ケース２７内にリント捕獲器３４を挿入した場合にはリント捕獲器３４が収納状態に到達することでロック部材６４の爪片６５が前ケース２７の係合部６７に到達する。この爪片６５が係合部６７に到達した場合には退避状態から自然状態に弾性復帰することで係合部６７に下方から係合する。
【００３８】
天板カバー８には、図１２に示すように、２つの軸６８が形成されている。これら両軸６８のそれぞれは左右方向から見て円柱状をなすものであり、軸心線が共通の水平線に重なるように配置されている。これら両軸６８のそれぞれの外周面には軸孔６９の内周面が嵌め込まれている。これら両軸孔６９のそれぞれは円形状の貫通孔からなるものであり、フィルタカバー７０のアーム７１に形成されている。これら両アーム７１のそれぞれは、図１１に示すように、フィルタカバー７０の後端部に形成されたものであり、フィルタカバー７０は閉鎖状態および開放状態相互間で天板カバー８の両軸６８を中心に回動可能にされている。このフィルタカバー７０の閉鎖状態は水平な状態であり（図９のａ参照）、天板カバー８の着脱口６６はフィルタカバー７０の閉鎖状態でリント捕獲ダクト２０の前ケース２７内に対してリント捕獲器３４を着脱することが不能に閉鎖される。このフィルタカバー７０の開放状態は下から上に向けて後方へ傾斜する状態であり（図１０参照）、天板カバー８の着脱口６６はフィルタカバー７０の開放状態でリント捕獲ダクト２０の前ケース２７内に対してリント捕獲器３４を着脱することが可能に開放される。
【００３９】
フィルタカバー７０は合成樹脂を材料とするものであり、フィルタカバー７０には、図３に示すように、両アーム７１相互間に位置してストッパ７２が形成されている。このストッパ７２はフィルタカバー７０の閉鎖状態で下に向けて突出するものであり、図５に示すように、フィルタカバー７０の開放状態で受け台７３に後方から接触する。この受け台７３は天板カバー８に形成されたものであり、フィルタカバー７０はストッパ７２が受け台７３に接触することで開放状態に静止する。このフィルタカバー７０は蓋に相当するものであり、閉鎖状態で水平な板状をなしている。
【００４０】
フィルタカバー７０には、図１０に示すように、操作窓７４が形成されている。この操作窓７４は、図９の（ａ）に示すように、フィルタカバー７０の閉鎖状態で前に向けて開口する切欠状をなすものであり、フィルタカバー７０の閉鎖状態では操作窓７４内にボタン７５の操作部７６が挿入される。このボタン７５は、図５に示すように、板状の操作部７６および操作部７６から突出する軸受部７７を有するものであり、軸受部７７には、図３に示すように、左右方向へ指向する軸７８が装着されている。このボタン７５は軸７８を介して天板カバー８に装着されたものであり、軸７８を中心にロック位置およびロック解除位置相互間で回動可能にされている。図５はボタン７５をロック位置で示すものであり、ボタン７５のロック位置では操作部７６が前から後に向けて水平になる。図４はボタン７５をロック解除位置で示すものであり、ボタン７５のロック解除位置では操作部７６が前から後に向けて下降する。このボタン７５は操作子に相当する。
【００４１】
ボタン７５には、図１１に示すように、リターンスプリング７９が装着されている。このリターンスプリング７９はコイル部とボタン側アーム部と天板側アーム部を有するトーションばねからなるものであり、コイル部はボタン７５の軸７８の外周部に挿入され、ボタン側アーム部はボタン側ばね受けに引掛けられ、天板側アーム部は天板側ばね受けに引掛けられている。この天板側ばね受けは天板カバー８に形成されたものであり、ボタン側ばね受けはボタン７５に形成されたものであり、ボタン７５に操作力が作用していない状態ではリターンスプリング７９がボタン７５をロック位置に静止させる。このボタン７５は使用者が手指で上から下に向けて押すことが可能なものであり、使用者がボタン７５のロック位置でボタン７５の操作部７６を上から下に向けて手指で押した場合にはボタン７５が軸７８を中心にロック位置からロック解除位置にリターンスプリング７９のばね力に抗して回動し、使用者がボタン７５のロック解除位置でボタン７５の操作部７６から手指を離した場合にはボタン７５が軸７８を中心にロック解除位置からロック位置にリターンスプリング７９のばね力で自己復帰する。
【００４２】
フィルタカバー７０には、図３に示すように、操作窓７４の左側面および右側面のそれぞれに位置してアーム８０が形成されている。これら両アーム８０のそれぞれはフィルタカバー７０の閉鎖状態で下に向けて突出するものであり、両アーム８０のそれぞれの先端部には爪片８１が形成されている。これら両爪片８１のそれぞれはフィルタカバー７０の閉鎖状態でアーム８０から後に向けて突出するものであり、フィルタカバー７０の閉鎖状態およびボタン７５のロック位置でロック片８２に下方から係合する。これら両ロック片８２のそれぞれはボタン７５に形成されたものであり、フィルタカバー７０は両爪片８１のそれぞれがロック片８２に係合する係合力で閉鎖状態にロックされる。
【００４３】
ボタン７５の両ロック片８２のそれぞれは、図３に示すように、ボタン７５が軸７８を中心に回動することに応じて円周方向へ移動するものであり、フィルタカバー７０のロック状態で使用者がボタン７５をロック位置からロック解除位置に操作した場合には両ロック片８２のそれぞれが爪片８１に対して図３の時計回り方向へ移動することで爪片８１から外れ、両ロック片８２のそれぞれが爪片８１から外れることでフィルタカバー７０がロック状態からロック解除状態になる。この爪片８１は蓋側係合部に相当し、ロック片８２は操作子側係合部に相当し、ボタン７５およびリターンスプリング７９は蓋ロック機構に相当する。この蓋ロック機構はフィルタカバー７０の閉鎖状態およびボタン７５のロック位置でフィルタカバー７０を閉鎖状態に移動不能にロックするロック状態になるものであり、フィルタカバー７０の閉鎖状態およびボタン７５のロック位置でボタン７５がロック解除位置に操作された場合にはフィルタカバー７０が閉鎖状態から開放状態に向けて移動することを許容するロック解除状態になる。
【００４４】
天板カバー８には、図４に示すように、上面が開口するプッシャケース８３が固定されている。このプッシャケース８３の上面はフィルタカバー７０の閉鎖状態でフィルタカバー７０に下方から対向するものであり、プッシャケース８３内には垂直なロッド８４が固定されている。このロッド８４の外周面には押し部材に相当するプッシャ８５が挿入されている。このプッシャ８５は上昇位置（図４参照）および上昇位置に比べて下方の下降位置（図３参照）相互間でロッド８４に沿って直線的に移動可能にされたものであり、下降位置は退避位置に相当し、上昇位置は突出位置に相当する。
【００４５】
ロッド８４およびプッシャ８５相互間には、図４に示すように、ばね部材に相当するプッシャスプリング８６が介在されている。このプッシャスプリング８６は圧縮コイルばねからなるものであり、フィルタカバー７０の閉鎖状態およびボタン７５のロック状態では、図３に示すように、フィルタカバー７０がプッシャスプリング８６のばね力に抗してプッシャ８５を下方へ押すことでプッシャ８５が下降位置に静止している。このプッシャ８５の下降位置ではプッシャスプリング８６がプッシャ８５を下から上に向けて付勢しており、使用者がフィルタカバー７０の閉鎖状態およびボタン７５のロック位置でボタン７５をロック解除位置に操作することでフィルタカバー７０がロック解除された場合にはプッシャ８５がプッシャスプリング８６のばね力で下降位置から上昇位置へ移動し、プッシャ８５が上昇位置に移動することでフィルタカバー７０を閉鎖状態から半開状態に押上げる。このフィルタカバー７０の半開状態は、図４に示すように、前から後に向けて下降する閉鎖状態および開放状態相互間の状態であり、使用者はボタン７５をロック位置からロック解除位置に操作することでフィルタカバーを半開状態とした後にボタン７５から手指を離し、フィルタカバー７０を半開状態から開放状態に手指で操作する。
【００４６】
天板カバー８の両軸６８のそれぞれには、図１２に示すように、傾斜面８７が形成されている。これら両傾斜面８７のそれぞれは下から上に向けてフィルタカバー７０の左右方向の中央部へ傾斜するものであり、使用者がフィルタカバー７０を半開状態から開放状態に操作する場合にはフィルタカバー７０のストッパ７２が天板カバー８の受け台７３に接触することで開放状態に静止したときにフィルタカバー７０の両アーム７１のそれぞれが軸６８の傾斜面８７に沿って力を受ける。このフィルタカバー７０の操作力が予め決められた力を上回る過大なものである場合にはフィルタカバー７０の両アーム７１のそれぞれが軸６８の傾斜面８７に沿って力を受けることで基端側から先端側に向けてフィルタカバー７０の左右方向の中央部へ傾斜するように弾性変形し、両アーム７１のそれぞれが弾性変形することで軸６８から外れ、両アーム７１のそれぞれが軸６８から外れることでフィルタカバー７０が天板カバー８から外れる。
【００４７】
フィルタカバー７０の両爪片８１のそれぞれには、図３に示すように、傾斜面８８が形成されており、ボタン７５の両ロック片８２のそれぞれにも傾斜面８８が形成されている。これら４つの傾斜面８８のそれぞれは前から後に向けて上昇するものであり、使用者がフィルタカバー７０の開放状態およびボタン７５のロック位置でフィルタカバー７０を閉鎖状態に向けて回動操作した場合には両爪片８１のそれぞれの傾斜面８８がロック片８２の傾斜面８８に接触することでボタン７５が軸７８を中心にロック解除位置に向けて回動し、ボタン７５がロック解除位置に向けて回動することでフィルタカバー７０の回動操作が許容される。このフィルタカバー７０の両爪片８１のそれぞれがロック片８２を通過した場合にはボタン７５が現在位置からロック位置にリターンスプリング７９のばね力で回動することで両ロック片８２のそれぞれが爪片８１に係合し、フィルタカバー７０がロック状態になる。このフィルタカバー７０が開放状態から閉鎖状態に回動操作される場合にはフィルタカバー７０がプッシャ８５をプッシャスプリング８６のばね力に抗して上昇位置から下降位置に移動操作し、フィルタカバー７０が蓋ロック機構のロック力でロック状態になった場合にはプッシャ８５が蓋ロック機構のロック力で下降位置に静止する。
【００４８】
フィルタカバー７０には、図３に示すように、パッキン押え８９が形成されている。このパッキン押え８９はフィルタカバー７０の閉鎖状態でフィルタカバー７０から下方へ突出するものであり、下方から見て無端な四角筒状をなしている。このパッキン押え８９はフィルタカバー７０が閉鎖状態にロックされた状態でフィルタパネル４８の外パッキン５２を上から下に向けて押すものである。リント捕獲器３４の下パッキン５８のシール部６１はフィルタカバー７０のパッキン押え８９がフィルタパネル４８の外パッキン５２を上から下に向けて押すことでリント捕獲器３４の内パッキン受け５６および前ケース２７の受け板２９相互間で挟まれて弾性変形すると共にリント捕獲器３４の外パッキン受け５７および前ケース２７の受け板２９相互間で挟まれて弾性変形するものであり、内パッキン受け５６と外パッキン受け５７と受け板２９のそれぞれに弾性復元力によって目標圧力で面接触する。リント捕獲器３４は下パッキン５８のシール部６１が弾性変形することで４つの支持片６２のそれぞれが前ケース２７の受け面６３に面接触した収納状態に下降するものであり、リント捕獲器３４の爪片６５はリント捕獲器３４が収納状態に下降することで前ケース２７の係合部６７に係合する。リント捕獲器３４の外パッキン５２はパッキン押え８９によって押されることで弾性変形するものであり、外パッキン収納部５１の内周壁と外周壁と底壁のそれぞれに弾性復元力によって目標圧力で接触する。
【００４９】
上記実施例１によれば次の効果を奏する。
使用者がフィルタカバー７０の開放状態でリント捕獲器３４を天板カバー８の着脱口６６から前ケース２７の上面を通して前ケース２７内に挿入した状態では下パッキン５８のシール部６１が前ケース２７の受け板２９で支えられることで自然状態となり、リント捕獲器３４が収納状態に比べて上方の挿入状態に静止する。このリント捕獲器３４の挿入状態で使用者がフィルタカバー７０を開放状態から閉鎖状態に操作した場合にはフィルタカバー７０の両爪片８１のそれぞれがボタン７５のロック片８２に係合することでフィルタカバー７０が閉鎖状態にロックされる。このフィルタカバー７０のロック状態ではフィルタカバー７０のパッキン押え８９が外パッキン５２を上から下に向けて押すことでリント捕獲器３４が挿入状態から収納状態に下パッキン５８のシール部６１の弾性力に抗して下降する。このリント捕獲器３４の収納状態では下パッキン５８のシール部６１がリント捕獲器３４および前ケース２７相互間で挟まれて弾性変形し、下パッキン５８のシール部６１が弾性復元力で前ケース２７に目標圧力で接触し、下パッキン５８のベース部６０が弾性復元力でリント捕獲器３４の内パッキン受け５６および外パッキン受け５７のそれぞれに目標圧力で接触する。このリント捕獲器３４の収納状態では前ケース２７の内圧が乾燥運転中に上昇することでリント捕獲器３４が下から上に向けて押された場合であってもリント捕獲器３４がフィルタカバー７０およびボタン７５相互間の係合力で収納状態に静止し、外パッキン５８が前ケース２７およびリント捕獲器３４相互間を密封することで温風の漏れを防止するので、前ケース２７およびリント捕獲器３４相互間の密封性を落とすことなくリント捕獲器３４を前ケース２７内に対して着脱する場合の操作力を小さくすることができる。
【００５０】
フィルタカバー７０の爪片８１をボタン７５のロック片８２に係合させることでフィルタカバー７０を閉鎖状態にロックし、ボタン７５のロック片８２をフィルタカバー７０の爪片８１から外すことでフィルタカバー７０をロック解除したので、蓋ロック機構の構成が簡単になる。しかも、前ケース２７の内圧が乾燥運転中に上昇することでリント捕獲器３４が下から上に向けて押された場合にフィルタカバー７０が下から上に向けて押されることでフィルタカバー７０の爪片８１がボタン７５のロック片８２に下方から係合するので、リント捕獲器３４が前ケース２７の上面から天板カバー８の着脱口６６を通って飛び出すことが確実に防止される。
【００５１】
使用者がフィルタカバー７０の閉鎖状態およびボタン７５のロック位置でボタン７５をロック解除位置に操作した場合にはフィルタカバー７０がロック解除状態になり、プッシャ８５がプッシャスプリング８６のばね力で下降位置から上昇位置に移動することでフィルタカバー７０を閉鎖状態から半開状態に押上げる。このため、使用者がフィルタカバー７０の半開状態でフィルタカバー７０の操作窓７４内に手指を挿入し、フィルタカバー７０を手指で半開状態から開放状態に手動操作できるので、使用者がフィルタカバー７０を閉鎖状態から開放状態に操作する場合の操作性が高まる。
【００５２】
リント捕獲器３４の収納状態ではフィルタカバー７０のパッキン押え８９がリント捕獲器３４の外パッキン５２を上から下に向けて押すことで弾性変形させ、外パッキン５２が弾性復元力でフィルタカバー７０のパッキン押え８９に目標圧力で接触する。このため、リント捕獲器３４の収納状態ではリント捕獲器３４および前ケース２７相互間に加えてリント捕獲器３４およびフィルタカバー７０相互間が密封されるので、温風がリント捕獲器３４およびフィルタカバー７０相互間から漏れることが防止される。図１３の（ａ）の太線は外パッキン５２が遮断する温風の漏れ経路である。リント捕獲器３４のフィルタフレーム３５およびフィルタパネル４８相互間を内パッキン５４で密封したので、温風がフィルタフレーム３５およびフィルタパネル４８相互間の接合面を通って外部に漏れることが抑えられる。図１３の（ｂ）の太線は内パッキン５４が遮断する温風の漏れ経路である。
【００５３】
リント捕獲器３４の複数の支持片６２のそれぞれを前ケース２７の受け面６３で下方から支えた。このため、フィルタカバー７０の閉鎖状態およびボタン７５のロック位置でリント捕獲器３４が前ケース２７内の上下方向の一定位置に静止するので、外パッキン５３および下パッキン５８のそれぞれの弾性変形量が一定になる。従って、下パッキン５８が前ケース２７およびリント捕獲器３４のそれぞれに一定圧力で接触し、外パッキン５２がリント捕獲器３４およびフィルタカバー７０のそれぞれに一定圧力で接触するので、前ケース２７およびリント捕獲器３４相互間を一定の密封度で密封でき、リント捕獲器３４およびフィルタカバー７０相互間を一定の密封度で密封できる。
【００５４】
使用者がフィルタカバー７０の半開状態でフィルタカバー７０を過大な力で開放状態に操作した場合にはフィルタカバー７０のストッパ７２が天板カバー８の受け台７３に接触することでフィルタカバー７０の両アーム７１のそれぞれが天板カバー８の軸６８の傾斜面８７に沿って力を受け、フィルタカバー７０の両アーム７１のそれぞれが基端側から先端側に向けてフィルタカバー７０の左右方向の中央部へ傾斜するように弾性変形する。このフィルタカバー７０の両アーム７１のそれぞれが弾性変形した場合には軸６８から外れるので、両アーム７１のそれぞれが塑性変形または破断することがなくなる。
【００５５】
上記実施例１においては、フィルタカバー７０の閉鎖状態およびボタン７５のロック位置でフィルタカバー７０のうちパッキン押え８９とは異なる部分がフィルタパネル４８を上から下に向けて押す構成としても良い。
【００５６】
上記実施例１においては、リント捕獲器３４の挿入状態で下パッキン５８のシール部６１をリント捕獲器３４の重さで弾性変形させる構成としても良い。この構成の場合にはフィルタカバー７０が閉鎖状態にロックされた場合にリント捕獲器３４を上から下に向けて押すことでシール部６１をリント捕獲器３４の挿入状態に比べて大きく弾性変形させ、リント捕獲器３４を挿入状態から収納状態に下降させると良い。
【００５７】
上記実施例１においては、前ケース２７の受け板２９に下パッキン５８のベース部６０を固定し、下パッキン５８のシール部６１がリント捕獲器３４の挿入状態でリント捕獲器３４を下方から支持し、フィルタカバー７０が閉鎖状態にロックされることでリント捕獲器３４が下パッキン５８のシール部６１を上から下に向けて押すことで弾性変形させる構成としても良い。この構成の場合にはフィルタカバー７０が閉鎖状態にロックされることで下パッキン５９のシール部６１がリント捕獲器３４に目標圧力で接触し、下パッキン５９のベース部６０が前ケース２７の受け板２９に目標圧力で接触する。
【００５８】
上記実施例１においては、水受槽９内の空気をダクト内で水道水に接触させることで冷却した後にダクト内で電気的なヒータに接触させることで温風化しても良い。
上記実施例１においては、本発明を衣類の洗濯機能を持たない乾燥専用の衣類乾燥機に適用しても良い。
【符号の説明】
【００５９】
１は外箱、６は天板、８は天板カバー、９は水受槽（槽）、２０はリント捕獲ダクト（リント除去部）、２７は前ケース（ケース）、３４はリント捕獲器（リント除去器）、３５はフィルタフレーム（フィルタ枠）、４１はフィルタ、４８はフィルタパネル（操作板）、５２は外パッキン（蓋シール部材）、５４は内パッキン（リント除去器シール部材）、５８は下パッキン（シール部材）、６６は着脱口、６８は軸、７０はフィルタカバー（蓋）、７１はアーム、７５はボタン（操作子）、８１は爪片（蓋側係合部）、８２はロック片（操作子側係合部）、８５はプッシャ（押し部材）、８６はプッシャスプリング（ばね部材）、８７は傾斜面である。
【図１】
0005457969.tif 000002
【図２】
0005457969.tif 000003
【図３】
0005457969.tif 000004
【図４】
0005457969.tif 000005
【図５】
0005457969.tif 000006
【図６】
0005457969.tif 000007
【図７】
0005457969.tif 000008
【図８】
0005457969.tif 000009
【図９】
0005457969.tif 000010
【図１０】
0005457969.tif 000011
【図１１】
0005457969.tif 000012
【図１２】
0005457969.tif 000013
【図１３】
0005457969.tif 000014